(57)【要約】      （修正有）【課題】作業台上から散逸させずに捕集出来、作業者保護及び拡散防止性能の向上を計る。【解決手段】作業台２の一側に直立して、作業台と共に側面視Ｌ字状を呈して吸排気制御手段を設けてなり、吸排気制御手段は、外気を吸引しエアカーテン気流として吹き出す第１のファン５及び、作業台の作業面上の作業空間から吸気口を経て吸排気制御手段内に吸引した外気をフィルターに介して外部に放出する第２のファン８を内装し、作業台の、前記吸排気制御手段と対向する側縁に沿って、エアカーテン気流を作業台の作業面に添って噴出するエアカーテン気流噴出スリット１９を配し、かつ、前記吸排気制御手段の作業面側基部の立ち上がり面に沿ってエアカーテン気流を噴出するエアカーテン気流噴出スリットを作業台に配し、前記吸排気制御手段の立ち上がり面の上部には吸気口を開口した。【選択図】図１
2010266076.tif 000002
【特許請求の範囲】
【請求項１】
作業台の一側に直立して、作業台と共に側面視Ｌ字状を呈して吸排気制御手段を設けてなり、吸排気制御手段は、外気を吸引しエアカーテン気流として吹き出す第１のファン及び、作業台の作業面上の作業空間から吸気口を経て吸排気制御手段内に吸引した外気をフィルターに介して外部に放出する第２のファンを内装し、作業台の、前記吸排気制御手段と対向する側縁に沿って、エアカーテン気流を作業台の作業面に添って噴出するエアカーテン気流噴出スリットを配し、かつ、前記吸排気制御手段の作業面側基部の立ち上がり面に沿ってエアカーテン気流を噴出するエアカーテン気流噴出スリットを作業台に配し、前記吸排気制御手段の立ち上がり面の上部には吸気口を開口したことを特徴とする有害物質排気装置。
【請求項２】
吸排気制御手段の作業面側の立ち上がり面の両側に、側板を設け上昇エアカーテン気流と水平エアカーテン気流との合流部位を囲ったことを特徴とする請求項１記載の有害物質排気装置。 
【発明の詳細な説明】
【技術分野】
【０００１】
本発明は、作業台の作業面上で発生した有害気体、特に比重の大なる有害物質を、作業面上に滞留することなく、かつ、その作業台の周囲で作業している作業員に吸引させることなく、作業台上から除去することを可能にした局所排気装置に関する。
【背景技術】
【０００２】
局所排気装置内の作業台で作業を行う場合、作業台の周囲を囲ってその内部を作業空間とし、天井部を噴気口とし、作業空間に噴出した清浄空気は作業台前面の開口部から作業台外に流出するクリーンベンチが知られているが、（特許文献１）この装置は作業空間の空気を排気するための排気風量は多いものとなる。また、作業により例えば人体に悪影響のある気体が生ずるような場合、作業者がそれを吸引してしまうというような事態が生じ、周囲環境への悪影響が生ずる恐れがあった。
【先行技術文献】
【特許文献】
【０００３】
【特許文献１】特許第３０８４６０５号公報
【発明の概要】
【発明が解決しようとする課題】
【０００４】
本発明は作業台上で作業を行う際に発生する有害物質等を、作業台上から散逸させずに捕集出来、作業者保護及び拡散防止性能の向上を計ることを目的とする。
【課題を解決するための手段】
【０００５】
請求項1記載の本発明の有害物質排気装置は、作業台の一側に直立して、作業台と共に側面視Ｌ字状を呈して吸排気制御手段を設けてなり、吸排気制御手段は、外気を吸引しエアカーテン気流として吹き出す第１のファン及び、作業台の作業面上の作業空間から吸気口を経て吸排気制御手段内に吸引した外気をフィルターに介して外部に放出する第２のファンを内装し、作業台の、前記吸排気制御手段と対向する側縁に沿って、エアカーテン気流を作業台の作業面に添って噴出するエアカーテン気流噴出スリットを配し、かつ、前記吸排気制御手段の作業面側基部の立ち上がり面に沿ってエアカーテン気流を噴出するエアカーテン気流噴出スリットを作業台に配し、前記吸排気制御手段の立ち上がり面の上部には吸気口を開口した。
請求項２記載の本発明は、請求項１記載の有害物質排気装置であって、吸排気制御手段の作業面側の立ち上がり面の両側に、側板を設け上昇エアカーテン気流と水平エアカーテン気流との合流部位を囲ったものである。
【発明の効果】
【０００６】
本発明装置は、作業台の側縁に沿ってエアカーテン気流を作業台の作業面に添って噴出する水平エアカーテン気流噴出スリットを設けているために作業面上の直近に滞留している特に比重の大なる有害物質の排除に有効で、作業台上の有害物質その他の滞留が少なくなる。
【０００７】
本発明装置は、吸排気制御手段の作業面側の立ち上がり面の両側に、側板を設け上昇エアカーテン気流と水平エアカーテン気流との合流部位を囲ったために、合流した水平エアカーテン気流と上昇するエアカーテン気流とが混合して渦を生ずるような状体となっても側板のために混合気流が装置外に流出するようなことがなく、作業者保護及び環境への有害物質の拡散防止性能の向上を期待できる。
本発明装置にあっては、上昇及び水平エアカーテン気流共にその噴出口の形状をスリット形としているために排気風流の低減が可能となり省エネ効果を生ずる。
【図面の簡単な説明】
【０００８】
【図１】本発明は装置の右側の側板を取り除いた状態の右側面図。
【図２】本発明装置の平面図。
【図３】本発明装置の正面図。
【図４】Ａは本発明装置の水平エアカーテン気流噴出スリット部分の切断端面図、Ｂは同じく時幼少エアカーテン気流の噴出スリット部分の切断端面図である。
【発明を実施するための形態】
【０００９】
本発明実施の一例を図面と共に次に説明する。
本発明有害物質排気装置１は、作業台２と、作業台２上に載置された状態に設けられた吸排気制御手段３とよりなり、吸排気制御手段３は作業台２上に側面視Ｌ字形となるように設けられている。
【００１０】
吸排気制御手段３は、ダクトを兼ねた函体をなし、該函体内部を上下２区画に分け、下部の第１の区画４ａ内に、後述する上昇エアカーテン気流５ａ用と水平エアカーテン用気流５ｂ用のファン５を設けると共に、第２の区画４ｂ内には後述する作業空間６の有害物質等を吸引し、有害物質吸着フィルター７に吸引気体を送るファン８を配置する。有害物質吸着フィルター７を通った有害物質を含む吸引気体は清浄化され排気口９より排出される。１０は、前記ファン８の作動により、作業空間６の有害物質を含む気体を、第２の函体５ｂに吸い込む吸気口であり、ルーバーが設けられている。吸排気制御手段３のだい２の区画４ｂは上部が作業空間６側に張り出し、下部と上部の張り出し部分との間の傾斜面に前記した吸引口１０が位置しルーバーが設けられている。
【００１１】
即ち、上昇エアカーテン気流５ａと水平エアカーテン気流５ｂとの合流点部位の左右両側部には側板１１が設けられ有害空気が吸排気制御手段３の外側に逃れるのを防止している。１２は第１の区画４ａに設けた外気の吸入口である。
【００１２】
第１の区画４ａに設けられたエアカーテン用ファン５に接続して作業台２の下面にダクト１３が設けられ、第１の区画４ａ内のファン５により圧送されたエアが、ダクト１３に送られる。ダクト１３の端部に水平エアカーテン吹出し用ノズル体１４を設ける。
【００１３】
同ノズル体１４は、作業台２の下部全体に位置して設けられたダクト１３，１３のエアを受け入れているが、図４Ａに切断端面で示すごとく、作業空間６側の法面１５は若干傾斜し、該法面１５に通気口１６を設けている。そして法面１５と極めて少ない間隔（例えば１ｍｍ）を有して、前記通気口１６を被うように通気口カバー１７を設けている。通気口カバー１７は上部にあっては吹出し用ノズル体１４と密接しているが、下端部にあっては法面１５と通気口カバー１７とは間隔を有し開放され、そこからノズル体１４内のエアは法面１５に添って噴出し、水平エアカーテン気流噴出スリット２２を構成している。噴出したエアは作業台２の表面に当り同面上を制御手段３の方向に水平エアカーテン気流５ｂとして流れて行く。
【００１４】
また、吸排気制御手段３の作業空間側立ち上がり面１８に接して、ダクト１３の上面にも上昇エアカーテン気流噴出スリット１９を設けている。該スリット１９から噴出した上昇エアカーテン気流５ａは、吸排気制御手段３の作業空間側立ち上がり面１８に添って上昇し吸引口１０から吸排気制御手段３内に吸引される。
２０は操作スイッチ、２１は照明灯である。
【００１５】
本発明装置を使用するときは、適宜テーブル上に本発明装置１を置き、作業台２の前面に立ち或は椅子に掛けて作業をする。
スイッチ１９の操作により、エアカーテン用ファン５は回転し、外気吸入口１２から装置１外の外気を、第１の区画４ａに吸入すると共に、第１の区画４ａに連続しているダクト１３に送り出す。ダクト１３に送られた外気は先ず上昇エアカーテン気流噴出スリット１９で一部がダクト１３外に噴出し垂直状態に、吸排気制御手段３の作業空間側立ち上がり面１８に添って上昇エアカーテン気流５ａとして上昇し周囲の作業空間６内に位置する汚染空気を取り込み吸気口１０から吸排気制御手段３の第２の区画４ｂ内にファン８により吸引される。
【００１６】
上昇エアカーテン気流噴出スリット１９を通過したエアは、ダクト１３内を進み、水平エアカーテン用ダクト１４に入り、図４Ａに示す如く通気口１６を経てダクト１４の法面１５とスリットカバー１７との間隙１５ａで作られる水平エアカーテン気流噴出スリット２１から法面１５に添って作業台２上に噴出するが、その噴気は作業台２の面に当たって作業台２の面に添って水平方向に流れることになる。
【００１７】
この水平方向のエアカーテン気流５ｂによって作業台２の作業面上に滞留している有害物質などは流れに乗って移動し、作業面端部において生じている上昇エアカーテン気流５ａと共に吸排気制御手段３に吸引される。
作業台２の上記水平エアカーテン気流５ｂと上昇エアカーテン気流５ａとの合流点にあっては、作業台２の両側部に吸気口１０を挟む状態に側板１１が設けられているので、合流した水平エアカーテン気流と上昇エアカーテン気流とが混合して渦を生じるような状態となっても前記側板１１のために混合した気流が装置外に流出するようなことはなく、吸引口１０に吸引される。  
【００１８】
吸引口１０から吸排気制御手段３に入った有害物質を含む気流は有害物質吸着フィルター７により有害物質が取り去られ排気口９から装置外に排出される。
【符号の説明】
【００１９】
１  有害物質排気装置
２  作業台
３  吸排気制御手段
４ａ  第１の区画  
４ｂ  第２の区画
５  エアカーテン用ファン  
５ａ  上昇エアカーテン気流
５ｂ  水平エアカーテン気流
６  作業空間
７  有害物質吸着フィルター
８  ファン
９  排気口
１０  ルーバー
１１  側板
１２  外気の吸入口
１３  ダクト
１４  水平エアカーテン用ダクト
１５  法面
１６  通気口
１７  スリットカバー
１８  作業空間側立ち上がり面
１９  上昇エアカーテン気流噴出スリット
２０  操作スイッチ
２１  照明灯
２２  水平エアカーテン気流噴出スリット 
【図１】
2010266076.tif 000003
【図２】
2010266076.tif 000004
【図３】
2010266076.tif 000005
【図４】
2010266076.tif 000006